(57)【特許請求の範囲】
【請求項１】
芯内筒と芯外筒の間に上下動自在に設けた灯芯と、外火皿に固定した支持金具と、この支持金具に取付し最上昇時の灯芯上端より下側に先端部が位置するように配設した第１電極と、前記支持金具に第１電極を固定する電極固定金具を兼ねた第２電極を備え、第２電極は前記電極固定金具の一部を所定形状とした板状端面で形成し、その端面上端は前記第１電極の先端より下側で、かつ前記灯芯側に配設し、前記端面を前記灯芯の上下動に対して傾斜を有して灯芯と当接させるようにした灯芯式石油燃焼装置。
【請求項２】
第２電極は外火皿に設けた挿入孔に嵌挿し、第１電極と対向する位置に臨ませるようにした請求項１記載の灯芯式石油燃焼装置。
【請求項３】
第１電極の先端は第２電極の傾斜部幅内で、かつ外火皿側に所定の間隔を有した位置に配設した請求項１記載の灯芯式石油燃焼装置。
【発明の詳細な説明】
【０００１】
【発明の属する技術分野】
本発明は放電エネルギーを利用して灯芯に点火するようにした灯芯式石油燃焼装置の点火電極取付構造に関する。
【０００２】
【従来の技術】
灯芯を用いる石油燃焼装置の点火装置としては、フィラメントに電流を流して赤熱させ、灯芯にしみ込んだ灯油を気化して点火させるヒータ式が一般的であるが、このヒータ式点火方式は点火を繰り返すとフィラメントが劣化して比較的短期間に断線し、頻繁に交換をしなければならないという不具合を有していた。
【０００３】
そこで、近年、この課題を解消するため、図４に示すように上下動自在な灯芯１の外周面に臨んで固定した放電電極２と、灯芯１の内周面に装着する芯ホルダー３から上方に延設する対向電極４との間で放電させ、この放電エネルギーを利用して灯芯１に点火する装置が開示されている。この放電点火方式により点火装置の寿命は半永久的になり、従来のようにヒータを交換する必要はなくなるが、放電を利用して灯芯に点火するものにあっては、ヒータ式に比べ点火エネルギーが電極間にのみ集中するため、点火ポイントが限定されるものとなり電極構成や点火位置等、点火条件の設定に種々の工夫が必要であった。
【０００４】
そこで、図５に示すように、特開平８−７５１６４号公報のように芯内・外筒の間隙から露出した灯芯１の側面に放電電極２を臨ませ、放電電極２の先端に対して斜め後方にマイナス極４を取り付け、放電電極２は灯芯１に対してマイナス極４のない側に傾斜して、この傾斜した状態で放電電極２を灯芯１の側面に押しつけるように構成したものや、図６に示すように、特開平６−３４１６４３号公報のように、灯芯１の外側に設けた放電電極２を灯芯１側を開口し、外炎筒側を絶縁碍子５で囲うことにより対向電極４以外の箇所へ誤放電することを防止し、さらに放電電極２の端部を灯芯１方向に傾斜させ、対向電極４への放電をしやすくした構成が開示されている。
【０００５】
【発明が解決しようとする課題】
しかしながら、従来の放電点火装置においては放電電極と対向電極との離間距離を調節しただけでは、必ずしも安定した放電点火ができないという問題点があった。すなわち、放電電極と対向電極との間には絶縁物であるガラス繊維などで構成した灯芯や灯油が介在し、かつ変質灯油などを使用した場合は、灯芯先端部にタール生成物が付着し、灯油の気化が妨げられることになるため、灯芯を挟んで放電点火をさせるような場合は、電極の設置のしかたによっては点火し難くなるといった問題があった。また、安定した放電が調節された装置においても、電源に乾電池を使用した場合には、電極間に絶縁物があるため電圧が僅かでも低下すると放電しにくくなるといった問題点もあった。
【０００６】
これら問題点を解消するため、特開平８−７５１６４号公報では放電電極の斜め後方にマイナス極の先端を位置させ、放電電極の先端を灯芯の側面に押し付けるようにすることで、灯芯がやせたり、劣化したりしても灯芯の通称ケバが確実に放電電極とマイナス極に介在するようにして、灯芯の側面に着火できるようにしたものであるが、上記放電電極とマイナス極間に介在するケバも絶縁物であるガラス繊維で形成する灯芯の一部であり、数本のケバが電極間に介在する状態においては、電極間の放電に対して何ら影響はなく、安定した放電が確保でき、着火性能においても格段の着火性を発揮するが、この放電電極とマイナス極に介在するケバの状態は灯芯の上下動の繰り返しにおいて変化するものであり、安定した状態で電極間に介在させることは困難である。すなわち、電極間に大量のケバが介在するような状態になると、当初従来例でも述べたように、電極間での放電が不安定になったり、気化量が多くなって白煙が出るだけで点火できないという状態を招き、点火性能が極端に悪化してしまうという課題を有するものであった。
【０００７】
本発明では、電極固定金具を所定形状とした板状端面で第２電極を形成し、前記端面を灯芯の上下動に対して傾斜を有して当接させるようにして、灯芯の側面で適切な点火位置を確保し、かつ灯芯先端のケバが電極間に介在しないようにして放電の安定性を確保し、安定した点火が行えるようにしたものである。
【０００８】
【発明を解決するための手段】
本発明は、上記課題を解決するために、芯内筒と芯外筒の間に上下動自在に設けた灯芯と、外火皿に固定した支持金具と、この支持金具に取付し最上昇時の灯芯上端より下側に先端部が位置するように配設した第１電極と、前記支持金具に第１電極を固定する電極固定金具を兼ねた第２電極を備え、この第２電極は前記電極固定金具の一部を所定形状とした板状端面で形成し、その端面上端は前記第１電極の先端より下側で、かつ灯芯側に配設し、前記端面を灯芯の上下動に対して傾斜を有して灯芯と当接させるようにしている。
【０００９】
上記発明によれば、最上昇時の灯芯上端より下側に先端部を配設した第１電極と灯芯の上下動に対して傾斜を有して灯芯と当接させるようにした第２電極間で放電させることで、タール付着などの燃焼の影響による灯芯の変化や芯高の影響を比較的受けることの少ない灯芯の側面で放電させ、かつ第２電極の端面を傾斜させて灯芯を内側に押し込むように上下動させることで、灯芯先端のケバが電極間に介在しないようにして、放電の安定性を確保し、点火条件を一定にするようにしている。また、第２電極は第１電極を固定する電極固定金具の一部を所定形状として形成しているため、構成の簡素化が図れるとともに、電極間寸法が確実に確保でき、点火条件の安定性をさらに向上することができる。
【００１０】
【発明の実施の形態】
本発明の請求項１の灯芯式石油燃焼装置は、芯内筒と芯外筒の間に上下動自在に設けた灯芯と、外火皿に固定した支持金具と、この支持金具に取付し最上昇時の灯芯上端より下側に先端部が位置するように配設した第１電極と、前記支持金具に第１電極を固定する電極固定金具を兼ねた第２電極を備え、第２電極は電極固定金具の一部を所定形状とした板状端面で形成し、その端面上端は前記第１電極の先端より下側で、かつ灯芯側に配設し、前記端面を灯芯の上下動に対して傾斜を有して灯芯と当接させるようにしている。
【００１１】
そして、最上昇時の灯芯上端より下側に先端部を配設した第１電極と灯芯の上下動に対して傾斜を有して当接させるようにした第２電極間で放電させることで、タール付着などの燃焼の影響による灯芯の変化や芯高の影響を比較的受けることの少ない灯芯の側面で放電させ、かつ第２電極の端面を傾斜させて灯芯を内側に押し込むように上下動させることで、灯芯先端のケバが電極間に介在しないようにして、放電の安定性を確保し、点火条件を一定にするようにしている。また、第２電極は第１電極を固定する電極固定金具の一部を所定形状として形成しているため、構成の簡素化が図れるとともに、電極間寸法が確実に確保でき、点火条件の安定性をさらに向上することができる。
【００１２】
また、請求項２の灯芯式石油燃焼装置は、第２電極は外火皿に設けた挿入孔に密着して嵌挿し、第１電極と対向する位置に臨ませるようにしている。
【００１３】
そして、端面に形成した第２電極を外火皿に設けた挿入孔に嵌挿し、点火位置に臨ませているため、閉塞部材を必要とせず、燃焼に影響する空気の流入がほとんどないため、構成の簡素化と燃焼の安定性が確保できるものである。
【００１４】
また、請求項３の灯芯式石油燃焼装置は、第１電極の先端は第２電極の傾斜部幅内で、かつ外火皿側に所定の間隔を有した位置に配設するようにしている。
【００１５】
そして、灯芯を内側に押し込むように当接させた第２電極の傾斜部の幅内で、かつ外火皿側に所定の間隔を有して第１電極を配設するようにしているため、第１電極と第２電極で構成する放電間隙内に灯芯のケバが介在することがなくなり、ケバによる放電の不安定現象が解消でき、灯芯に密着した側面で安定した放電を形成することができ、着火性の向上を図ることができる。
【００１６】
【実施例】
（実施例１）
図１〜図３は本発明の実施例１を説明する図である。
【００１７】
１は油タンクの上面と連接する芯外筒、２は油タンクの底面から立設する芯内筒、３は芯内筒２、芯外筒１の間隙内に保持された灯芯であり、芯上下機構（図示せず）の動力に応じて上下動する。４は芯外筒１の一部である外周（壁）に多数の小穴を有する外火皿、５は外火皿４の外周面にスポット溶接などで固定された電極支持金具、６は金属線で形成した導電体６ａの外側を絶縁碍子６ｂ、６ｃなどで覆った放電側電極を形成する第１電極で、前記電極支持金具５の上面に取付され、放電部分６ａを外火皿４に設けた挿入孔４ａより挿入し、絶縁碍子の段付部６ｂを外火皿４の外周面に当接させ、位置決めをするようにしている。この状態において第１電極６の放電部分６ａは図２に示すように、上面から見て灯芯３の一部にかかるように先端６ｅを屈曲させて延設している。７は電極固定金具で第１電極６の別の段付部６ｃを押さえ、ビス８で電極支持金具５に固着するようにしている。また、電極固定金具７はその一部を所定形状に加工して板状端面部を外火皿４の外周面適所に設けた傾斜した角孔４ｂより挿入し、灯芯３を内側に押し込むように当接させ、第２電極７ａを形成するようにしている。さらに、第２電極７ａは図１に示すように、下端部７ｂから上端部７ｄにかけて曲線を有する傾斜形状７ｃとし、灯芯３の上下動軌跡の中に臨ませ、かつ図２及び図３に示すように、灯芯３の上下動に対して所定の傾斜幅を有して設け、その傾斜させた端面７ｅにより灯芯３の上下動をガイドするようにしている。そして、第１電極６の放電部先端６ｅは、上記のように構成した第２電極７ａの傾斜幅内で、先端７ｄより外火皿４側に位置するように配設し、灯芯３より離れた位置から灯芯３側に向かって放電させるようにしている。
【００１８】
以上のように構成された放電装置において、その動作を説明する。
芯上下機構（図示せず）により点火操作を行うと、灯芯３は芯外筒１と芯内筒２にガイドされて上昇する。そして、第２電極７ａの下端部７ｂまで上昇すると、傾斜形状７ｃ及び傾斜幅を有した端面７ｅによりスムーズに内側に押さえ込まれながら上昇し、点火芯高位置まで上昇すると、点火スイッチ（図示せず）が作動し、高圧放電装置（図示せず）により第１電極６と第２電極７ａ間に高電圧が印加され、第１電極６の放電部先端６ｅと第２電極７ａの先端部７ｄ間で放電が開始される。この放電により、近傍の灯芯３に浸み込んだ燃料が気化して点火する。そして、全周に火移りして燃焼が開始される。
【００１９】
このように、灯芯３が上下動するとき第２電極７ａの傾斜形状７ｃと傾斜幅を有した端面７ｅにより灯芯３を内側に押し込むようにガイドするため、前記傾斜幅内には灯芯３の先端部で発生するケバは介在しなくなる。このため、傾斜幅内の外火皿４側に配設した第１電極６の放電部先端６ｅと第２電極７ａの先端部７ｄの放電間隙には介在せず、確実に放電空間が確保でき、安定した放電が行えるものである。また、第１電極６を固定する電極固定金具７の一部を用いて第２電極７ａを形成しているため、放電距離や第１電極６と第２電極７ａの位置関係も精度よく確保できるものである。さらに、第１電極６と第２電極７ａは外火皿４を隙間を有することなく灯芯３側に挿入するようにしているため、燃焼に影響を与えることなく、簡単な構成で放電装置を提供することができる。
【００２０】
【発明の効果】
以上説明したように請求項１の灯芯式石油燃焼装置によれば、最上昇時の灯芯上端より下側に先端部を配設した第１電極と灯芯の上下動に対して傾斜を有して当接させるようにした第２電極間で放電させることで、タール付着などの燃焼の影響による灯芯の変化や芯高の影響を比較的受けることの少ない灯芯の側面で放電させ、かつ第２電極の端面を傾斜させて灯芯を内側に押し込むように上下動させることで、灯芯先端のケバが電極間に介在しないようにして、放電の安定性を確保し、点火条件を一定にするようにしている。また、第２電極は第１電極を固定する電極固定金具の一部を所定形状として形成しているため、構成の簡素化が図れるとともに、電極間寸法が確実に確保でき、点火条件の安定性をさらに向上することができる。
【００２１】
また、請求項２の灯芯式石油燃焼装置によれば、端面に形成した第２電極を外火皿に設けた挿入孔に嵌挿し、点火位置に臨ませているため、閉塞部材を別に必要とせず、燃焼に影響する空気の流入がほとんどないため、構成の簡素化と燃焼の安定性が確保できるものである。
【００２２】
また、請求項３の灯芯式石油燃焼装置によれば、灯芯を内側に押し込むように当接させた第２電極の傾斜部の幅内で、かつ外火皿側に所定の間隔を有して第１電極を配設するようにしているため、第１電極と第２電極で構成する放電間隙内に灯芯のケバが介在することがなくなり、ケバによる放電の不安定現象が解消でき、灯芯に密着した側面で安定した放電を形成することができ、着火性の向上を図ることができる。
【図面の簡単な説明】
【図１】本発明の実施例１を示す灯芯式石油燃焼装置の要部構成図
【図２】同灯芯式石油燃焼装置の要部の上面図
【図３】同灯芯式石油燃焼装置の灯芯下降時の燃焼部内側より見た（図１のＡ矢視）外観図
【図４】従来の灯芯式石油燃焼装置の点火部分の要部側面断面図
【図５】従来の灯芯式石油燃焼装置の点火部分の要部断面上面図
【図６】同点火部分の要部側面断面図
【符号の説明】
１  芯外筒
２  芯内筒
３  灯芯
４  外火皿
５  支持金具
６  第１電極
７  電極固定金具
７ａ  第２電極
【図１】
0003718994.tif 000002
【図２】
0003718994.tif 000003
【図３】
0003718994.tif 000004
【図４】
0003718994.tif 000005
【図５】
0003718994.tif 000006
【図６】
0003718994.tif 000007